(57)【要約】【課題】大幅な省エネルギーを実現する。【解決手段】露点温度センサ１３を設け、ドライルーム２００への給気ＳＡの露点温度（冷水コイル４によって冷却された処理側の乾燥した空気の露点温度）を検出し、給気露点温度ｔｄｐｖとして制御装置１４へ送る。制御装置１４は、給気露点温度ｔｄｐｖが低くなると、再生側ファン１およびモータ６（デシカントロータ３を駆動するモータ）の回転数を下げる。なお、給気ＳＡの露点温度ではなく、還気ＲＡの露点温度などを検出するようにしてもよい。また、再生側ファン１の回転数のみを下げるようにしてもよい。また、冷水コイル４を備えないタイプであってもよく、還気ＲＡを処理側の空気に戻さないタイプであってもよい。【選択図】  図１
2011085270.tif 000002
【特許請求の範囲】
【請求項１】
再生側の空気流を形成する再生側ファンと、処理側の空気流を形成する処理側ファンと、前記再生側の空気の流路および前記処理側の空気の流路に跨って配設され処理側の空気からの吸湿と再生側の空気への放湿とを回転しながら連続的に行うデシカントロータと、前記デシカントロータによる放湿前の再生側の空気を加熱する加熱装置と、前記デシカントロータによって吸湿された処理側の乾燥した空気の供給を受ける被空調空間とを備えたデシカント空調システムにおいて、
前記処理側の乾燥した空気が流れる流路中に定められた所定の位置における水分量を検出する水分量検出手段と、
この水分量検出手段によって検出された水分量に基づいて前記再生側の空気の流量を制御する制御手段と
を備えることを特徴とするデシカント空調システム。
【請求項２】
請求項１に記載されたデシカント空調システムにおいて、
前記制御手段は、
前記水分量検出手段によって検出された水分量に基づいて前記再生側の空気の流量および前記デシカントロータの回転数を制御する
ことを特徴とするデシカント空調システム。
【請求項３】
請求項１に記載されたデシカント空調システムにおいて、
前記水分量検出手段は、前記被空調空間への給気に含まれる水分量を検出する
ことを特徴とするデシカント空調システム。
【請求項４】
請求項１に記載されたデシカント空調システムにおいて、
前記水分量検出手段は、前記被空調空間から出て行く空気に含まれる水分量を検出する
ことを特徴とするデシカント空調システム。
【請求項５】
請求項１〜４の何れか１項に記載されたデシカント空調システムにおいて、
前記水分量検出手段は、前記水分量を露点温度として検出する
ことを特徴とするデシカント空調システム。
【請求項６】
請求項１〜４の何れか１項に記載されたデシカント空調システムにおいて、
前記水分量検出手段は、前記水分量を湿度として検出する
ことを特徴とするデシカント空調システム。
【請求項７】
再生側の空気流を形成する再生側ファンと、処理側の空気流を形成する処理側ファンと、前記再生側の空気の流路および前記処理側の空気の流路に跨って配設され処理側の空気からの吸湿と再生側の空気への放湿とを回転しながら連続的に行うデシカントロータと、前記デシカントロータによる放湿前の再生側の空気を加熱する加熱装置と、前記デシカントロータによって吸湿された処理側の乾燥した空気の供給を受ける被空調空間とを備えたデシカント空調システムに適用されるデシカント空調システムの運転方法において、
前記処理側の乾燥した空気が流れる流路中に定められた所定の位置における水分量を検出する水分量検出ステップと、
この水分量検出ステップによって検出された水分量に基づいて前記再生側の空気の流量を制御する制御ステップと
を備えることを特徴とするデシカント空調システムの運転方法。
【発明の詳細な説明】
【技術分野】
【０００１】
この発明は、再生側の空気の流路と処理側の空気の流路とに跨って配設され処理側の空気からの吸湿と再生側の空気への放湿とを回転しながら連続的に行うデシカントロータを用いたデシカント空調システムおよびその運転方法に関するものである。
【背景技術】
【０００２】
従来より、冷凍倉庫，電池工場など湿度を低く保つための空調として、デシカントロータを用いたデシカント空調システムが採用されている（例えば、特許文献１，２参照）。
【０００３】
デシカントロータは、円板状に形成され、その厚さ方向に空気が貫通できるような構造とされている。デシカントロータの表面には、多孔性の無機化合物を主成分とする固体吸着物が設けられている。この多孔性の無機化合物としては、細孔径が０．１〜２０ｎｍ程度で水分を吸着するもの、例えばシリカゲルやゼオライト、高分子吸着剤等の固体吸着剤が使用される。また、デシカントロータは、モータによって駆動されて、中心軸回りに回転し、処理側の空気からの吸湿と再生側の空気への放湿とを連続的に行う。
【０００４】
図９にデシカントロータを用いた従来のデシカント空調システムの概略を示す。同図において、１は再生側の空気流を形成する再生側ファン、２は処理側の空気流を形成する処理側ファン、３は再生側の空気の流路Ｌ１および処理側の空気の流路Ｌ２に跨って配設されたデシカントロータ、４はデシカントロータ３による吸湿後の処理側の乾燥した空気を冷却する冷水コイル（冷却装置）、５はデシカントロータ３による放湿前の空気を加熱する温水コイル（加熱装置）、６はデシカントロータ３を回転させるモータ、７は冷水コイル４によって冷却された処理側の乾燥した空気（給気）ＳＡの温度を計測する温度センサ、８は温水コイル５によって加熱された再生側の空気（再生用空気）ＳＲの温度を計測する温度センサであり、これらによってデシカント空調機１００が構成されている。
【０００５】
デシカント空調機１００の冷水コイル４には冷水弁９を介して冷水ＣＷが供給され、温水コイル５には温水弁１０を介して温水ＨＷが供給される。また、冷水コイル４に対してコントローラ１１が設けられ、温水コイル５に対してコントローラ１２が設けられている。コントローラ１１は、温度センサ７が計測する給気ＳＡの温度ｔｓｐｖを設定温度ｔｓｓｐに一致させるように、冷水弁９の開度を制御する。コントローラ１２は、温度センサ８が計測する再生用空気ＳＲの温度ｔｒｐｖを設定温度ｔｒｓｐに一致させるように、温水弁１０の開度を制御する。２００はデシカント空調機１００からの給気ＳＡの供給を受けるドライルーム（被空調空間）である。
【０００６】
〔処理側〕
このデシカント空調システムにおいて、ドライルーム２００からの還気ＲＡはデシカントロータ３への吸湿前の処理側の空気に戻される。この例では、還気ＲＡが外気ＯＡと混合され、デシカントロータ３への吸湿前の処理側の空気とされる。なお、ドライルーム２００からの還気ＲＡの量は一定とされる。また、還気ＲＡと混合される外気ＯＡの量は、ドライルーム２００における室圧を一定とするように、図示されていない室圧制御装置によって制御される。
【０００７】
処理側において、還気ＲＡと外気ＯＡとの混合空気は、デシカントロータ３を通過する際、その空気中に含まれる水分がデシカントロータ３の固体吸着剤に吸着（吸湿）される。そして、このデシカントロータ３による吸湿後の還気ＲＡと外気ＯＡとの混合空気、すなわちデシカントロータ３によって除湿された還気ＲＡと外気ＯＡとの混合空気が冷水コイル４へ送られて冷却され、給気ＳＡとしてドライルーム２００へ供給される。
【０００８】
〔再生側〕
一方、再生側では、再生側の空気として外気ＯＡが取り込まれ、温水コイル５に送られて加熱される。これによって、外気ＯＡの温度が上昇し、相対湿度が下げられる。この場合、外気ＯＡは１００℃を超える高温とされる。この相対湿度が下げられた高温の外気ＯＡは、再生用空気ＳＲとしてデシカントロータ３へ送られ、デシカントロータ３の固体吸着剤を加熱する。
【０００９】
すなわち、デシカントロータ３は回転しており、処理側において還気ＲＡと外気ＯＡとの混合空気から水分を吸着した固体吸着剤が、再生用空気ＳＲに対面した際に加熱される。これにより、固体吸着剤から水分が脱着され、再生用空気ＳＲへ放湿される。この固体吸着剤からの水分を吸収した再生用空気ＳＲは排気ＥＡとして排出される。
【００１０】
このようにして、従来のデシカント空調システムでは、デシカントロータ３を一定の回転速度で回転させながら、また再生側ファン１および処理側ファン２の回転数を固定（定格回転数）として、還気ＲＡと外気ＯＡとの混合空気（処理側の空気）からの吸湿と再生用空気ＳＲ（再生側の空気）への放湿とがデシカントロータ３において連続的に行われ、デシカント空調機１００からのドライルーム２００への給気（乾燥空気）ＳＡの供給が続けられる。
【先行技術文献】
【特許文献】
【００１１】
【特許文献１】特開２００６−３０８２２９号公報
【特許文献２】特開２００１−２４１６９３号公報
【発明の概要】
【発明が解決しようとする課題】
【００１２】
しかしながら、上述した従来のデシカント空調システムでは、デシカントロータ３の処理側における吸湿量のピーク時を基準とし、このピーク時に吸湿した水分を放湿することができるように、デシカントロータ３の再生側への空気の量を一定として設定しているので、温水コイル５や冷水コイル４でのエネルギー消費が激しく、運転コストが莫大となるという問題があった。
【００１３】
すなわち、処理側の空気（還気ＲＡと外気ＯＡとの混合空気）に含まれる水分の量が少ない場合、デシカントロータ３の固体吸着剤に吸着される水分は少ない。したがって、再生側において、デシカントロータ３の固体吸着剤から脱着させる水分も少なくなる。それにも拘わらず、デシカントロータ３へ供給される再生側の空気（再生用空気ＳＲ）の量は、処理側における吸湿量のピーク時を基準とする一定量である。
【００１４】
このため、デシカントロータ３へ再生用空気ＳＲが必要以上に供給されるものとなり、その分、温水コイル５でエネルギーが無駄に消費されることなる。また、再生用空気ＳＲの供給を受けて、デシカントロータ３の再生側に位置する部分が熱くなり、この熱くなった部分がデシカントロータ３の回転によって処理側に移動する。このため、デシカントロータ３の再生側から処理側への熱の移動量が多くなり、デシカントロータ３を通過する還気ＲＡと外気ＯＡとの混合空気の温度が上昇し、この混合空気の温度の上昇により、冷水コイル４でのエネルギーの消費量が増加する。
【００１５】
なお、図９において、デシカント空調機１００は冷水コイル４を備えるタイプとしたが、冷水コイル４を備えないタイプも存在する。すなわち、デシカントロータ３によって除湿された空気を冷却せずに給気ＳＡとしてドライルーム２００へ送るタイプのデシカント空調機（外調機）も存在する。このようなタイプのデシカント空調機（外調機）では、冷水コイル４でのエネルギー消費は生じないが、温水コイル５でのエネルギー消費が生じ、この温水コイル５でのエネルギー消費が増加することによって、運転コストが莫大となる。
【００１６】
本発明は、このような課題を解決するためになされたもので、その目的とするところは、大幅な省エネルギーを実現することができるデシカント空調システムおよびその運転方法を提供することにある。
【課題を解決するための手段】
【００１７】
このような目的を達成するために本発明は、再生側の空気流を形成する再生側ファンと、処理側の空気流を形成する処理側ファンと、再生側の空気の流路および処理側の空気の流路に跨って配設され処理側の空気からの吸湿と再生側の空気への放湿とを回転しながら連続的に行うデシカントロータと、デシカントロータによる放湿前の再生側の空気を加熱する加熱装置と、デシカントロータによって吸湿された処理側の乾燥した空気の供給を受ける被空調空間とを備えたデシカント空調システムにおいて、処理側の乾燥した空気が流れる流路中に定められた所定の位置における水分量を検出する水分量検出手段と、この水分量検出手段によって検出された水分量に基づいて再生側の空気の流量を制御する制御手段とを設けたものである。
【００１８】
本発明では、処理側の乾燥した空気が流れる流路中に定められた所定の位置における水分量が検出され、この検出された水分量に基づいて再生側の空気の流量が制御される。例えば、検出された水分量が少なくなった場合、再生側の空気の流量を少なくする。この場合、再生側の空気の流量が少なくなることによって、加熱装置からの再生用空気の温度が上昇する。ここで、再生用空気の温度を一定に保つ制御が行われるものとすれば、加熱装置における加熱量が減り、加熱装置で消費されるエネルギーが削減される。また、再生側の空気の流量が少なくなることによって、デシカントロータの再生側から処理側への熱の移動量が少なくなり、デシカントロータを通過する処理側の空気の温度上昇が抑制される。これにより、冷却装置を備えるタイプでは、冷却装置で消費されるエネルギーも削減される。
【発明の効果】
【００１９】
本発明によれば、処理側の乾燥した空気が流れる流路中に定められた所定の位置における水分量を検出するようにし、この検出された水分量に基づいて再生側の空気の流量を制御するようにしたので、検出された水分量が少なくなった場合、再生側の空気の流量を少なくするようにして、加熱装置で消費されるエネルギーを削減し（冷却装置を備えるタイプでは冷却装置で消費されるエネルギーも削減し）、大幅な省エネルギーを実現することが可能となる。
【図面の簡単な説明】
【００２０】
【図１】本発明に係るデシカント空調システムの一実施の形態（実施の形態１）の概略を示す図である。
【図２】実施の形態１のデシカント空調システムにおける制御装置が有する省エネルギー機能を説明するためのフローチャートである。
【図３】本発明に係るデシカント空調システムの他の実施の形態（実施の形態２）の概略を示す図である。
【図４】実施の形態２のデシカント空調システムにおける制御装置が有する省エネルギー機能を説明するためのフローチャートである。
【図５】デシカントロータにおける再生側の空気の流量が少なくなる前の温度分布を例示する図である。
【図６】ドライルームからの還気の露点温度（還気露点温度）を検出するようにした例を示す図である。
【図７】ドライルームからの排気の露点温度（排気露点温度）を検出するようにした例を示す図である。
【図８】デシカントロータによって吸湿された処理側の空気を再生側の空気としてデシカントロータに戻すようにした例を示す図である。
【図９】従来のデシカント空調システムの概略を示す図である。
【発明を実施するための形態】
【００２１】
以下、本発明の実施の形態を図面に基づいて詳細に説明する。
〔実施の形態１〕
図１はこの発明に係るデシカント空調システムの一実施の形態（実施の形態１）の概略を示す図である。同図において、図９と同一符号は図９を参照して説明した構成要素と同一或いは同等構成要素を示し、その説明は省略する。
【００２２】
この実施の形態１では、再生側ファン１にインバータＩＮＶ１を付設し、再生側ファン１の回転数の調整を行えるようにしている。また、ドライルーム２００への給気ＳＡの露点温度（冷水コイル４によって冷却された処理側の乾燥した空気の露点温度）を露点温度センサ１３によって検出するようにし、この露点温度センサ１３が検出する給気ＳＡの露点温度（給気露点温度）ｔｄｐｖを制御装置１４（１４−１）へ与えるようにしている。
【００２３】
制御装置１４−１は、プロセッサや記憶装置からなるハードウェアと、これらのハードウェアと協働して制御装置としての各種機能を実現させるプログラムとによって実現され、本実施の形態特有の機能として再生側ファン１の回転数の制御機能（この機能を省エネルギー機能と呼ぶ）を有している。以下、図２に示すフローチャートに従って、制御装置１４−１が有する省エネルギー機能について説明する。
【００２４】
制御装置１４−１は、露点温度センサ１３からの給気露点温度ｔｄｐｖを定周期で取り込み（ステップＳ１０１）、この給気露点温度ｔｄｐｖと予め定められている給気露点温度の設定値ｔｄｓｐとを比較する（ステップＳ１０２）。なお、この場合、給気露点温度ｔｄｐｖは給気ＳＡに含まれる水分量を表し、給気露点温度ｔｄｐｖが高いことは給気ＳＡに含まれる水分量が多いことを示し、給気露点温度ｔｄｐｖが低いことは給気ＳＡに含まれる水分量が少ないことを示す。
【００２５】
〔ｔｄｐｖ＜ｔｄｓｐの場合〕
制御装置１４−１は、給気露点温度ｔｄｐｖが給気露点温度の設定値ｔｄｓｐよりも低ければ（ｔｄｐｖ＜ｔｄｓｐ、ステップＳ１０２のＹＥＳ）、再生側ファン１の回転数を下げる（ステップＳ１０３）。この場合、制御装置１４−１は、給気露点温度ｔｄｐｖと給気露点温度の設定値ｔｄｓｐとの差Δｔｄ（Δｔｄ＝｜ｔｄｐｖ−ｔｄｓｐ｜）を求め、この差Δｔｄに応じた制御出力Ｓ１をインバータＩＮＶ１に出力し、給気露点温度ｔｄｐｖと給気露点温度の設定値ｔｄｓｐとの差Δｔｄに応じた量だけ、再生側ファン１の回転数を下げる。
【００２６】
これにより、デシカントロータ３への再生空気ＳＲの量が減少し、デシカントロータ３における再生側での水分の脱着量が減り、処理側での水分の吸着量が減って、給気露点温度ｔｄｐｖが上がり、給気露点温度の設定値ｔｄｓｐに合わせ込まれるようになる。
【００２７】
この制御において、再生側ファン１の回転数が下げられると、再生側の空気の流量が少なくなり、温水コイル５からの再生用空気ＳＲの温度が上昇する。この場合、温水コイル５に対して設けられているコントローラ１２は、再生用空気ＳＲの温度ｔｒｐｖを設定温度ｔｒｓｐに保つように、温水弁１０の開度を制御する。これにより、温水コイル５への温水ＨＷの供給量（加熱量）が減り、温水コイル５で消費されるエネルギーが削減される。
【００２８】
また、再生側の空気の流量が少なくなることによって、デシカントロータ３の再生側から処理側への熱の移動量が少なくなる。このため、デシカントロータ３を通過する処理側の空気の温度上昇が抑制される。この場合、冷水コイル４に対して設けられているコントローラ１１は、給気ＳＡの温度ｔｓｐｖを設定温度ｔｓｓｐに保つように、冷水弁９の開度を制御する。これにより、冷水コイル４への冷水ＣＷの供給量（冷却量）が減り、冷水コイル４で消費されるエネルギーも削減される。
【００２９】
また、再生側ファン１の回転数を下げることによって、再生側ファン１の駆動に要するエネルギーも削減される。
【００３０】
このようにして、本実施の形態では、給気露点温度ｔｄｐｖが給気露点温度の設定値ｔｄｓｐよりも低くなると、温水コイル５や冷水コイル４で消費されるエネルギーが削減され、また、再生側ファン１の駆動に要するエネルギーも削減され、処理側、再生側ともに大幅な省エネルギーが実現される。特に、温水コイル５や冷水コイル４で消費されるエネルギーの削減量は極めて大きく、爆発的とも言える省エネルギーを図ることが可能となる。
【００３１】
〔ｔｄｐｖ＞ｔｄｓｐの場合〕
給気露点温度ｔｄｐｖが給気露点温度の設定値ｔｄｓｐよりも高くなると（ｔｄｐｖ＞ｔｄｓｐ、ステップＳ１０４のＹＥＳ）、制御装置１４−１は、再生側ファン１の回転数を上げる（ステップＳ１０５）。この場合、制御装置１４−１は、給気露点温度ｔｄｐｖと給気露点温度の設定値ｔｄｓｐとの差Δｔｄ（Δｔｄ＝｜ｔｄｐｖ−ｔｄｓｐ｜）を求め、この差Δｔｄに応ずる制御出力Ｓ１をインバータＩＮＶ１に出力し、給気露点温度ｔｄｐｖと給気露点温度の設定値ｔｄｓｐとの差Δｔｄに応じた量だけ、再生側ファン１の回転数を上げる。
【００３２】
これにより、デシカントロータ３への再生空気ＳＲの量が増加し、デシカントロータ３における再生側での水分の脱着量が増え、処理側での水分の吸着量が増えて、給気露点温度ｔｄｐｖが下がり、給気露点温度の設定値ｔｄｓｐに合わせ込まれるようになる。
【００３３】
〔実施の形態２〕
図３はこの発明に係るデシカント空調システムの他の実施の形態（実施の形態２）の概略を示す図である。
【００３４】
この実施の形態２では、再生側ファン１にインバータＩＮＶ１を付設し、再生側ファン１の回転数の調整を行えるようにしている。また、デシカントロータ３を駆動するモータ６にインバータＩＮＶ２を付設し、モータ６の回転数の調整を行えるようにしている。また、ドライルーム２００への給気ＳＡの露点温度（冷水コイル４によって冷却された処理側の乾燥した空気の露点温度）を露点温度センサ１３によって検出するようにし、この露点温度センサ１３が検出する給気ＳＡの露点温度（給気露点温度）ｔｄｐｖを制御装置１４（１４−２）へ与えるようにしている。
【００３５】
制御装置１４−２は、プロセッサや記憶装置からなるハードウェアと、これらのハードウェアと協働して制御装置としての各種機能を実現させるプログラムとによって実現され、本実施の形態特有の機能として再生側ファン１の回転数およびモータ６の回転数の制御機能（この機能を省エネルギー機能と呼ぶ）を有している。以下、図４に示すフローチャートに従って、制御装置１４−２が有する省エネルギー機能について説明する。
【００３６】
制御装置１４−２は、露点温度センサ１３からの給気露点温度ｔｄｐｖを定周期で取り込み（ステップＳ２０１）、この給気露点温度ｔｄｐｖと予め定められている給気露点温度の設定値ｔｄｓｐとを比較する（ステップＳ２０２）。
【００３７】
〔ｔｄｐｖ＜ｔｄｓｐの場合〕
制御装置１４−２は、給気露点温度ｔｄｐｖが給気露点温度の設定値ｔｄｓｐよりも低ければ（ｔｄｐｖ＜ｔｄｓｐ、ステップＳ２０２のＹＥＳ）、再生側ファン１の回転数およびモータ６の回転数を下げる（ステップＳ２０３）。この場合、制御装置１４−２は、給気露点温度ｔｄｐｖと給気露点温度の設定値ｔｄｓｐとの差Δｔｄ（Δｔｄ＝｜ｔｄｐｖ−ｔｄｓｐ｜）を求め、この差Δｔｄに応じた制御出力Ｓ１およびＳ２をインバータＩＮＶ１およびＩＮＶ２に出力し、給気露点温度ｔｄｐｖと給気露点温度の設定値ｔｄｓｐとの差Δｔｄに応じた量だけ、再生側ファン１の回転数およびモータ６の回転数を下げる。
【００３８】
この制御において、再生側ファン１の回転数が下げられると、再生側の空気の流量が少なくなり、温水コイル５からの再生用空気ＳＲの温度が上昇する。この場合、温水コイル５に対して設けられているコントローラ１２は、再生用空気ＳＲの温度ｔｒｐｖを設定温度ｔｒｓｐに保つように、温水弁１０の開度を制御する。これにより、温水コイル５への温水ＨＷの供給量（加熱量）が減り、温水コイル５で消費されるエネルギーが削減される。
【００３９】
また、再生側の空気の流量が少なくなることによって、デシカントロータ３の再生側から処理側への熱の移動量が少なくなる。このため、デシカントロータ３を通過する処理側の空気の温度上昇が抑制される。この場合、冷水コイル４に対して設けられているコントローラ１１は、給気ＳＡの温度ｔｓｐｖを設定温度ｔｓｓｐに保つように、冷水弁９の開度を制御する。これにより、冷水コイル４への冷水ＣＷの供給量（冷却量）が減り、冷水コイル４で消費されるエネルギーも削減される。
【００４０】
なお、再生側の空気の流量が少なくなると、デシカントロータ３における温度分布が変化する。すなわち、デシカントロータ３における温度分布が変化する。実施の形態１では、再生側の空気の流量の変化に伴うデシカントロータ３における温度分布の変化が小さいものとして、再生側の空気の流量のみを制御するものとした。これに対し、実施の形態２では、デシカントロータ３における温度分布の変化が大きいものとし、再生側の空気の流量の制御と合わせて、デシカントロータ３の回転数の制御も行うようにする。
【００４１】
図５にデシカントロータ３における再生側の空気の流量が少なくなる前の温度分布を例示する。モータ６の回転数（デシカントロータ３の回転数）を下げずに一定とした場合、再生側の空気の流量が少なくなることによって、この温度分布が低くなる方向へ変化する。そこで、本実施の形態では、モータ６の回転数も下げるようにして、この温度分布の変化を生じさせないようにする。
【００４２】
これにより、デシカントロータ３における温度分布を保った状態で、デシカントロータ３への再生空気ＳＲの量が減少し、デシカントロータ３における再生側での水分の脱着量が減り、処理側での水分の吸着量が減って、給気露点温度ｔｄｐｖが上がり、給気露点温度の設定値ｔｄｓｐに合わせ込まれるようになる。
【００４３】
このようにして、本実施の形態では、給気露点温度ｔｄｐｖが給気露点温度の設定値ｔｄｓｐよりも低くなると、温水コイル５や冷水コイル４で消費されるエネルギーが削減され、また、デシカントロータ３の駆動に要するエネルギーや再生側ファン１の駆動に要するエネルギーが削減され、処理側、再生側ともに大幅な省エネルギーが実現される。
【００４４】
〔ｔｄｐｖ＞ｔｄｓｐの場合〕
給気露点温度ｔｄｐｖが給気露点温度の設定値ｔｄｓｐよりも高くなると（ｔｄｐｖ＞ｔｄｓｐ、ステップＳ２０４のＹＥＳ）、制御装置１４−２は、再生側ファン１の回転数およびモータ６の回転数を上げる（ステップＳ２０５）。この場合、制御装置１４−２は、給気露点温度ｔｄｐｖと給気露点温度の設定値ｔｄｓｐとの差Δｔｄ（Δｔｄ＝｜ｔｄｐｖ−ｔｄｓｐ｜）を求め、この差Δｔｄに応ずる制御出力Ｓ１およびＳ２をインバータＩＮＶ１およびＩＮＶ２に出力し、給気露点温度ｔｄｐｖと給気露点温度の設定値ｔｄｓｐとの差Δｔｄに応じた量だけ、再生側ファン１の回転数およびモータ６の回転数を上げる。
【００４５】
これにより、デシカントロータ３における温度分布を保った状態で、デシカントロータ３への再生空気ＳＲの量が増加し、デシカントロータ３における再生側での水分の脱着量が増え、処理側での水分の吸着量が増えて、給気露点温度ｔｄｐｖが下がり、給気露点温度の設定値ｔｄｓｐに合わせ込まれるようになる。
【００４６】
なお、上述した実施の形態では、露点温度センサ１３によってドライルーム２００への給気ＳＡの露点温度（給気露点温度）を検出するようにしたが、図６に実施の形態２の変形例を示すように、ドライルーム２００からの還気ＲＡの露点温度（還気露点温度）を露点温度センサ１３によって検出するようにし、この露点温度センサ１３が検出する還気露点温度ｔｄｐｖと予め定められている還気露点温度の設定値ｔｄｓｐとの差Δｔｄに応じて再生側ファン１およびモータ６の回転数を制御するようにしてもよい。
【００４７】
また、図７に実施の形態２の変形例を示すように、ドライルーム２００からの排気ＥＸＡの露点温度（排気露点温度）を露点温度センサ１３によって検出するようにし、この露点温度センサ１３が検出する排気露点温度ｔｄｐｖと予め定められている排気露点温度の設定値ｔｄｓｐとの差Δｔｄに応じて再生側ファン１およびモータ６の回転数を制御するようにしてもよい。
【００４８】
また、露点温度の検出点は必ずしも給気ＳＡ、還気ＲＡ、排気ＥＸＡとしてなくてもよく、デシカントロータ３による吸湿後の処理側の乾燥した空気（乾燥空気）が流れる流路中であれば、どの点の露点温度を検出するようにしてもよい。また、必ずしも露点温度を検出するようにしなくてもよく、湿度を検出するようにしてもよい。湿度を検出する場合、相対湿度を検出するようにしてもよく、絶対湿度を検出するようにしてもよい。
【００４９】
また、例えば、還気ＲＡの露点温度を検出し、この検出した還気ＲＡの露点温度で給気ＳＡの露点温度が設定値となるように、再生側ファン１やモータ６の回転数を制御（カスケード制御）するようにしてもよい。
【００５０】
また、図８に実施の形態２の変形例を示すように、デシカントロータ３によって吸湿された処理側の空気を再生側の空気としてデシカントロータ３に戻すようにしてもよい。この場合、図８に実線で示すように、デシカントロータ３によって吸湿された処理側の空気を温水コイル５を通してデシカントロータ３に供給する方式、図８に点線で示すように、デシカントロータ３によって吸湿された処理側の空気をデシカントロータ３の再生側へ送って加熱し、このデシカントロータ３の再生側で加熱された空気を温水コイル５を通して再びデシカントロータ３に供給する方式など、種々の方式が考えられる。
【００５１】
また、上述した実施の形態において、再生側の空気の流量は、必ずしも再生側ファン１の回転数によって制御しなくてもよく、例えば再生側の空気の流路にダンパを設け、このダンパの開度を調整することによって制御するようにしてもよい。また、再生側ファン１は、必ずしもデシカントロータ３の後段（再生側の空気の出口側）に設けなくてもよく、デシカントロータ３の前段（再生側の空気の入口側）に設けるようにしてもよい。
【００５２】
また、上述した実施の形態では、ドライルーム２００からの還気ＲＡをデシカントロータ３への吸湿前の処理側の空気に戻すようにしたが、ドライルーム２００からの還気ＲＡをなくし、外気ＯＡのみを処理側の空気としてデシカントローラ３へ供給するようにしてもよい。
【００５３】
また、上述した実施の形態では、再生側の空気を加熱する加熱装置を温水コイルとし、処理側の乾燥した空気を冷却する冷却装置を冷水コイルをとしたが、加熱装置や冷却装置は温水コイルや冷水コイルに限られるものではない。
【００５４】
また、上述した実施の形態では、デシカント空調機１００を冷水コイル４を備えるタイプとしたが、冷水コイル４を備えないタイプとしてもよい。すなわち、デシカントロータ３によって除湿された空気を冷却せずに給気ＳＡとしてドライルーム２００へ送るタイプのデシカント空調機（外調機）としてもよい。
【００５５】
このようなタイプのデシカント空調機（外調機）では、冷水コイル４でのエネルギー消費は生じないが、温水コイル５でのエネルギー消費が生じる。この場合、再生側の空気の流量を少なくすることにより、温水コイル５でのエネルギー消費が削減され、大幅な省エネルギーが実現される。
【産業上の利用可能性】
【００５６】
本発明のデシカント空調システムおよびその運転方法は、湿度を低く保つための空調として、リチウム電池工場、食品工場、流通倉庫など様々な分野で利用することが可能である。
【符号の説明】
【００５７】
１…再生側ファン、２…処理側ファン、３…デシカントロータ、４…冷水コイル、５…温水コイル、６…モータ、７，８…温度センサ、９…冷水弁、１０…温水弁、１１，１２…コントローラ、１３…露点温度センサ、１４（１４−１，１４−２）…制御装置、ＩＮＶ１，ＩＮＶ２…インバータ、Ｌ１…再生側の空気の流路、Ｌ２…処理側の空気の流路、１００…デシカント空調機、２００…ドライルーム（被空調空間）。
【図１】
2011085270.tif 000003
【図２】
2011085270.tif 000004
【図３】
2011085270.tif 000005
【図４】
2011085270.tif 000006
【図５】
2011085270.tif 000007
【図６】
2011085270.tif 000008
【図７】
2011085270.tif 000009
【図８】
2011085270.tif 000010
【図９】
2011085270.tif 000011